(57)【要約】【課題】  本体と受信機を含む無線入力装置を提供する。【解決手段】  本体、および前記本体から分離されコンピュータへ接続された際に無線信号を受信する、前記本体周辺に取り外し可能に接続される受信機を含むコンピュータへの無線入力装置。【選択図】    図３
2005243029.tif 000002
【特許請求の範囲】
【請求項１】
本体、および
前記本体から分離されコンピュータへ接続された際に無線信号を受信する、前記本体周辺に取り外し可能に接続される受信機を含むコンピュータへの無線入力装置。
【請求項２】
前記本体は、ワイヤレスマウスである請求項１に記載の無線入力装置。
【請求項３】
前記本体は、底部表面に摺動面を含む請求項２に記載の無線入力装置。
【請求項４】
前記受信機が、前記摺動面に接合される請求項３に記載の無線入力装置。
【請求項５】
前記本体は、前記摺動面に実質的に垂直である外側面をさらに含み、前記受信機は、前記外側面に接合される請求項３に記載の無線入力装置。
【請求項６】
前記本体は、操作面とその上に配置されたボタンを含み、前記受信機は、前記操作面に接合される請求項１に記載の無線入力装置。
【請求項７】
前記受信機は、磁力によって前記本体に接合される請求項１に記載の無線入力装置。
【請求項８】
前記本体は、前記受信機と前記本体が接続するように、前記受信機を移動式にそこで接合させる導溝を備える請求項１に記載の無線入力装置。
【請求項９】
前記本体は、導溝と共にその上に形成された突出部を含む請求項８に記載の無線入力装置。
【請求項１０】
前記受信機は、前記本体に接合される際に、前記導溝に接合される接合部を含む請求項８に記載の無線入力装置。
【請求項１１】
前記接合部は、前記受信機から突出したＬ型形状を有する請求項１０に記載の無線入力装置。
【発明の詳細な説明】
【技術分野】
【０００１】
本発明は、無線入力装置に関し、特に、本体と取り外し可能に接続された受信機とを含み、便利さと一体化を容易に実現する無線入力装置に関する。
【背景技術】
【０００２】
図１に従来の無線入力装置の一例を示す。ワイヤレスマウス装置のような従来の無線入力装置は、主として本体と受信機Ｒとを含む。受信機ＲがコンピュータＣと電気的に接続する時に、ワイヤレスマウス装置の本体Ｍは、通常、上板(未表示)上を滑らせることで動作が行われる。本体Ｍは、例えば、赤外線（ＩＲ）または電磁信号などの信号を発し、受信機Ｒによってコンピュータで利用できる電気信号に変換することで、本体を通してコンピュータＣへのデータ入力を可能にする。しかし、本体Ｍと受信機Ｒが分離していることから一体化されていないと利用に不便であり、受信機をなくすこともある。
【発明の開示】
【発明が解決しようとする課題】
【０００３】
本体と受信機を含む無線入力装置を提供する。
【課題を解決するための手段】
【０００４】
無線入力装置の模範的な実施例は、本体と本体の周辺に取り外し可能に接続された受信機とを含む。受信機は、受信機が本体から分離され、コンピュータに接続された時、本体から無線信号を受信する。
【発明の効果】
【０００５】
本発明では、本体の周辺に取り外し可能に接続された受信機を備える無線入力装置が提供される。受信機と本体とが選択的に互いに接合または分離ができることから、便利さと一体化を容易にすると共に、受信機がなくなるのを防ぐことができる。
【発明を実施するための最良の形態】
【０００６】
本発明についての目的、特徴、長所が一層明確に理解されるよう、以下に実施形態を例示し、図面を参照にしながら詳細に説明する。
【実施例１】
【０００７】
図２ａ、２ｂ、２ｃは、例えばワイヤレスマウス装置のような、主に本体Ｍと取り外し可能に接続された受信機Ｒとを含む無線入力装置の模範的な実施例である。ワイヤレスマウス装置を用いることができるように、受信機Ｒは本体Ｍから分離され、電気的にコンピュータ（未表示）に接続される。テーブルなどの表面で本体Ｍを移動する時、本体Ｍは摺動面Ｍ１下の受信機Ｒに無線信号を発信する。無線信号は、赤外線信号または電磁信号を利用することができ、コンピュータへのデータの入力を可能にする。
【０００８】
図２ａ、２ｂ及び２ｃにみられるように、受信機Ｒを本体Ｍの底部にある摺動面Ｍ１に接合することで、便利な一体化が完成される。ある実施例では、本体Ｍと受信機Ｒの両方が共に磁性材料を含むことで、互いに誘引して便利な接続を容易に実施する。
【０００９】
図３は、本体Ｍの底部にある摺動面Ｍ１から突出したＴ型形状の突出部Ｍ２を含む本体Ｍの模範的な実施例である。Ｔ型形状の突出部Ｍ２は、その両側に二つの導溝Ｍ２０を有する。これに対応して、受信機Ｒは導溝Ｍ２０に取り外し可能に組み合わせるための、二つの突出したＬ型接合部Ｒ１を含む。図３ｂに示すように、本体Ｍと受信機Ｒは導溝Ｍ２０で接合部Ｒ１を接合することで、容易に一体化することができる。
【００１０】
図４は、本体Ｍの外側面Ｍ３に取り外し可能に接着することもできる受信機Ｒについて示す。外側面Ｍ３は、摺動面Ｍ１に実質的に垂直である。ある実施例では、本体Ｍと受信機Ｒは磁力によって接合することができることで便利な接続が容易になる。ある実施例では、図３ａと図３ｂに見られるように、接合部Ｒ１と導溝Ｍ２０が対応して互いに接合していることにより、本体Ｍと受信機Ｒはその他の接合方法によっても外側面Ｍ３と一体化することができる。
【００１１】
図５に示すように、受信機Ｒは本体Ｍの操作面Ｍ４に取り外し可能に接着することもできる。操作面Ｍ４は、その上に配置されたデータ入力を行うための一対のボタンＢと合うように曲げられている。ある実施例では、便利に一体化するために、本体Ｍと受信機Ｒを磁力によって接合することができる。ある実施例では、本体Ｍと受信機Ｒは、例えば、図３ａと３ｂに見られるように、接合部Ｒ１と導溝Ｍ２０が対応して互いに接合するような、その他の接続方法によって操作面Ｍ４に一体化することができる。
【００１２】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００１３】
【図１】従来の無線入力装置の斜視図である。
【図２】本体に接続した受信機の無線入力装置の模範的な実施例の斜視図である。
【図３】本体の摺動面に接続された受信機を表す無線入力装置の模範的な実施例の斜視図である。
【図４】本体の外側面に接続された受信機を表す無線入力装置の模範的な実施例の斜視図である。
【図５】本体の操作面に接続された受信機を表す無線入力装置の模範的な実施例の斜視図である。
【符号の説明】
【００１４】
Ｂ              ボタン
Ｃ              コンピュータ装置
Ｍ              本体
Ｍ１            摺動面
Ｍ２            突出部
Ｍ３            外側面
Ｍ４            操作面
Ｒ              受信機
Ｒ１            接合部
Ｍ２０          導溝
【図１】
2005243029.tif 000003
【図２】
2005243029.tif 000004
【図３】
2005243029.tif 000005
【図４】
2005243029.tif 000006
【図５】
2005243029.tif 000007
【手続補正書】
【提出日】平成17年3月30日(2005.3.30)
【手続補正１】
【補正対象書類名】明細書
【補正対象項目名】０００７
【補正方法】変更
【補正の内容】
【０００７】
図２（ａ）、図２（ｂ）、図２（ｃ）は、例えばワイヤレスマウス装置のような、主に本体Ｍと取り外し可能に接続された受信機Ｒとを含む無線入力装置の模範的な実施例である。ワイヤレスマウス装置を用いることができるように、受信機Ｒは本体Ｍから分離され、電気的にコンピュータ（未表示）に接続される。テーブルなどの表面で本体Ｍを移動する時、本体Ｍは摺動面Ｍ１下の受信機Ｒに無線信号を発信する。無線信号は、赤外線信号または電磁信号を利用することができ、コンピュータへのデータの入力を可能にする。
【手続補正２】
【補正対象書類名】明細書
【補正対象項目名】０００８
【補正方法】変更
【補正の内容】
【０００８】
図２（ａ）、図２（ｂ）及び図２（ｃ）にみられるように、受信機Ｒを本体Ｍの底部にある摺動面Ｍ１に接合することで、便利な一体化が完成される。ある実施例では、本体Ｍと受信機Ｒの両方が共に磁性材料を含むことで、互いに誘引して便利な接続を容易に実施する。
【手続補正３】
【補正対象書類名】明細書
【補正対象項目名】０００９
【補正方法】変更
【補正の内容】
【０００９】
図３は、本体Ｍの底部にある摺動面Ｍ１から突出したＴ型形状の突出部Ｍ２を含む本体Ｍの模範的な実施例である。Ｔ型形状の突出部Ｍ２は、その両側に二つの導溝Ｍ２０を有する。これに対応して、受信機Ｒは導溝Ｍ２０に取り外し可能に組み合わせるための、二つの突出したＬ型接合部Ｒ１を含む。図３（ｂ）に示すように、本体Ｍと受信機Ｒは導溝Ｍ２０で接合部Ｒ１を接合することで、容易に一体化することができる。
【手続補正４】
【補正対象書類名】明細書
【補正対象項目名】００１０
【補正方法】変更
【補正の内容】
【００１０】
図４は、本体Ｍの外側面Ｍ３に取り外し可能に接着することもできる受信機Ｒについて示す。外側面Ｍ３は、摺動面Ｍ１に実質的に垂直である。ある実施例では、本体Ｍと受信機Ｒは磁力によって接合することができることで便利な接続が容易になる。ある実施例では、図３（ａ）と図３（ｂ）に見られるように、接合部Ｒ１と導溝Ｍ２０が対応して互いに接合していることにより、本体Ｍと受信機Ｒはその他の接合方法によっても外側面Ｍ３と一体化することができる。
【手続補正５】
【補正対象書類名】明細書
【補正対象項目名】００１１
【補正方法】変更
【補正の内容】
【００１１】
図５に示すように、受信機Ｒは本体Ｍの操作面Ｍ４に取り外し可能に接着することもできる。操作面Ｍ４は、その上に配置されたデータ入力を行うための一対のボタンＢと合うように曲げられている。ある実施例では、便利に一体化するために、本体Ｍと受信機Ｒを磁力によって接合することができる。ある実施例では、本体Ｍと受信機Ｒは、例えば、図３（ａ）と図３（ｂ）に見られるように、接合部Ｒ１と導溝Ｍ２０が対応して互いに接合するような、その他の接続方法によって操作面Ｍ４に一体化することができる。
【手続補正６】
【補正対象書類名】図面
【補正対象項目名】全図
【補正方法】変更
【補正の内容】
【図１】
2005243029.tif 000008
【図２】
2005243029.tif 000009
【図３】
2005243029.tif 000010
【図４】
2005243029.tif 000011
【図５】
2005243029.tif 000012
【外国語明細書】
TITLE
WIRELESS  INPUT  DEVICES
BACKGROUND
The  invention  relates  in  general  to  wireless  input  devices  and  in  particular  to  wireless  input  devices  comprising  a  main  body  and  a  receiver  detachably  connected,  thus  facilitating  convenient  use  and  integration.
Referring  to  Fig.  1,  a  conventional  wireless  input  device,  such  as  a  wireless  mouse  device,  primarily  comprises  a  main  body  M  and  a  receiver  R.    When  the  receiver  R  electrically  connects  to  a  computer  C,  the  main  body  M  of  the  wireless  mouse  device  is  normally  operated  by  sliding  on  a  surface  (not  shown).    The  main  body  M  emits  a  signal,  such  as  an  IR  or  electromagnetic  signal,  converted  to  an  electrical  signal  by  the  receiver  R  for  application  in  the  computer  C,  enabling  input  of  data  to  the  computer  C  via  the  main  body  M.    Since  the  main  body  M  and  the  receiver  R  are  separated,  however,  it  is  not  convenient  without  integration  and  the  receiver  may  be  lost.
SUMMARY
Wireless  input  devices  are  provided.    An  exemplary  embodiment  of  a  wireless  input  device  includes  a  main  body  and  a  receiver  detachably  connected  to  a  peripheral  of  the  main  body.    The  receiver  receives  a  radio  signal  from  the  main  body  when  the  receiver  is  separated  from  the  main  body  and  connected  to  the  computer.
DESCRIPTION  OF  THE  DRAWINGS
Fig.  1  is  a  perspective  diagram  of  a  conventional  wireless  input  device;
Figs.  2a,  2b  and  2c  are  perspective  diagrams  of  an  exemplary  embodiment  of  a  wireless  input  device  with  a  receiver  connected  to  a  main  body;
Figs.  3a  and  3b  are  perspective  diagrams  of  an  exemplary  embodiment  of  a  wireless  input  device  with  a  receiver  connected  to  a  sliding  surface  of  a  main  body;
Fig.  4  is  a  perspective  diagram  of  an  exemplary  embodiment  of  a  wireless  input  device  with  a  receiver  connected  to  a  lateral  surface  of  a  main  body;  and
Fig.  5  is  a  perspective  diagram  of  an  exemplary  embodiment  of  a  wireless  input  device  with  a  receiver  connected  to  an  operating  surface  of  a  main  body.
DETAILED  DESCRIPTION
Referring  to  Figs.  2a,  2b  and  2c,  an  exemplary  embodiment  of  a  wireless  input  device,  such  as  a  wireless  mouse  device,  primarily  comprises  a  main  body  M  and  a  receiver  R  detachably  connected.    To  enable  use  of  the  wireless  mouse  device,  the  receiver  R  is  detached  from  the  main  body  M  and  electrically  connected  to  a  computer  (not  shown).  The  main  body  M  emits  a  radio  signal  to  the  receiver  R  during  movement  of  the  main  body  M  with  respect  to  a  surface  such  as  a  table,  under  the  sliding  surface  M1.    The  radio  signal  can  be  an  IR  signal  or  an  electromagnetic  signal,  enabling  input  of  data  to  the  computer.
As  shown  in  Figs.  2a,  2b  and  2c,  as  the  receiver  R  adheres  to  the  sliding  surface  M1  at  the  bottom  of  the  main  body  M,  convenient  integration  is  accomplished.  In  some  embodiments,  the  main  body  M  and  the  receiver  R  both  comprise  magnetic  material,  thus  attracting  each  other  and  facilitating  convenient  connection.
In  Fig.  3a,  an  exemplary  embodiment  of  the  main  body  M  comprises  a  T-shaped  protrusion  M2  projecting  from  the  sliding  surface  M1  at  the  bottom  of  the  main  body  M.    The  T-shaped  protrusion  M2  forms  two  guide  slots  M20  on  both  sides  thereof.    Correspondingly,  the  receiver  R  comprises  two  projecting  L-shaped  connecting  portions  R1  detachably  joined  in  the  guide  slots  M20.    As  shown  in  Fig.  3b,  the  main  body  M  and  the  receiver  R  can  be  easily  integrated  by  joining  the  connecting  portions  R1  in  the  guide  slots  M20.
Referring  to  Fig.  4,  the  receiver  R  can  also  be  detachably  adhered  to  a  lateral  surface  M3  of  the  main  body  M.    The  lateral  surface  M3  is  substantially  perpendicular  to  the  sliding  surface  M1.    In  some  embodiments,  the  main  body  M  and  the  receiver  R  can  be  connected  by  magnetic  force,  facilitating  convenient  integration.    In  some  embodiments,  the  main  body  M  and  the  receiver  R  can  also  be  integrated  on  the  lateral  surface  M3  by  other  connection  means,  such  as  the  connecting  portion  R1  and  the  guide  slot  M20  correspondingly  joining  to  each  other  as  shown  in  Figs.  3a  and  3b.
As  shown  in  Fig.  5,  the  receiver  R  can  also  be  detachably  adhered  to  an  operating  surface  M4  of  the  main  body  M.    The  operating  surface  M4  is  curved  with  a  pair  of  buttons  B  disposed  thereon  for  data  input.    In  some  embodiments,  the  main  body  M  and  the  receiver  R  can  be  connected  by  magnetic  force  for  convenient  integration.    In  some  embodiments,  the  main  body  M  and  the  receiver  R  can  also  be  integrated  on  the  operating  surface  M4  by  other  connection  means,  such  as  the  connecting  portion  R1  and  the  guide  slot  M20  correspondingly  joining  to  each  other  in  Figs.  3a  and  3b.
In  summary,  a  wireless  input  device  with  a  receiver  detachably  connected  to  the  peripheral  of  a  main  body  are  provided.  As  the  receiver  and  the  main  body  can  be  alternatively  connected  or  separated  from  each  other,  it  is  convenient  to  use  and  integrate  preventing  the  receiver  being  lost.
While  the  invention  has  been  described  by  way  of  example  and  in  terms  of  preferred  embodiment,  it  is  to  be  understood  that  the  invention  is  not  limited  thereto.    To  the  contrary,  it  is  intended  to  cover  various  modifications  and  similar  arrangements  (as  would  be  apparent  to  those  skilled  in  the  art).    Therefore,  the  scope  of  the  appended  claims  should  be  accorded  the  broadest  interpretation  to  encompass  all  such  modifications  and  similar  arrangements.
What  is  claimed  is:
1.    A  wireless  input  device  for  a  computer,  comprising:
a  main  body;  and
a  receiver  detachably  connected  to  the  peripheral  of  the  main  body,  wherein  the  receiver  receives  a  radio  signal  from  the  main  body  when  the  receiver  is  separated  from  the  main  body  and  connected  to  the  computer.
2.    The  wireless  input  device  as  claimed  in  claim  1,  wherein  the  main  body  is  a  wireless  mouse.
3.    The  wireless  input  device  as  claimed  in  claim  2,  wherein  the  main  body  comprises  a  sliding  surface  moving  with  respect  to  a  base  surface.
4.    The  wireless  input  device  as  claimed  in  claim  3,  wherein  the  receiver  is  connected  to  the  sliding  surface.
5.    The  wireless  input  device  as  claimed  in  claim  3,  wherein  the  main  body  further  comprises  a  lateral  surface  substantially  perpendicular  to  the  sliding  surface,  and  the  receiver  is  connected  to  the  lateral  surface.
6.    The  wireless  input  device  as  claimed  in  claim  1,  wherein  the  main  body  comprises  an  operating  surface  and  a  button  disposed  thereon,  and  the  receiver  is  connected  to  the  operating  surface.
7.    The  wireless  input  device  as  claimed  in  claim  1,  wherein  the  receiver  is  connected  to  the  main  body  by  magnetic  force.
8.    The  wireless  input  device  as  claimed  in  claim  1,  wherein  the  main  body  comprises  a  guide  slot  with  the  receiver  movably  joined  therein,  so  as  to  connect  the  receiver  and  the  main  body.
9.    The  wireless  input  device  as  claimed  in  claim  8,  wherein  the  main  body  comprises  a  protrusion  with  the  guide  slot  formed  thereon.
10.    The  wireless  input  device  as  claimed  in  claim  8,  wherein  the  receiver  comprises  a  connecting  portion  joined  in  the  guide  slot  when  the  receiver  is  connected  to  the  main  body.
11.    The  wireless  input  device  as  claimed  in  claim  10,  wherein  the  connecting  portion  is  L-shaped,  and  projects  from  the  receiver.
ABSTRACT
Wireless  input  devices  for  a  computer  are  provided.    A  wireless  input  device  includes  a  main  body  and  a  receiver  detachably  connected  to  a  peripheral  of  the  main  body.    The  receiver  receives  a  radio  signal  from  the  main  body  when  the  receiver  is  separated  from  the  main  body  and  connected  to  the  computer.
Representative  Drawing
Fig.1
【図１】
2005243029.tif 000013
【図２】
2005243029.tif 000014
【図３】
2005243029.tif 000015
【図４】
2005243029.tif 000016
【図５】
2005243029.tif 000017